(57)【要約】  本発明は、歯科インプラントの位置と方向を定めるスキャンボディシステム（１、１ａ）に関するものであって、インターフェイスを有する脚部（３、３ａ）と、３次元のスキャン輪郭を有し、かつスキャンボディを形成するように脚部（３、３ａ）と結合されている、スキャン部分（２、２ａ）と、歯科インプラント内にスキャンボディを固定するために設けられている、固定ねじ（４、４ａ）とを有している。本発明によれば、脚部（３、３ａ）及び／又は固定ねじ（４、４ａ）が、少なくとも１つの機械的な拘束手段（９、９ａ）を有し、その拘束手段が固定ねじ（４、４ａ）を、スキャン部分（２、２ａ）の通路（７、７ａ）を通してスキャンボディ内へ挿入した後に、スキャンボディ内で失われないように保持する。【選択図】図１
2018507760.tif 000002
【特許請求の範囲】
【請求項１】
歯科インプラントの位置と方向を定めるスキャンボディシステム（１、１ａ）であって、
インターフェイスを有する脚部（３、３ａ）と、
３次元のスキャン輪郭を有し、かつスキャンボディを形成するように前記脚部（３、３ａ）と堅固に結合されているスキャン部分（２、２ａ）と、
前記歯科インプラント内に前記スキャンボディを固定するために設けられている固定ねじ（４、４ａ）と、を有しており、
前記脚部（３、３ａ）及び／又は前記固定ねじ（４、４ａ）が、少なくとも１つの機械的な拘束手段（９、９ａ）を有し、前記拘束手段が、前記固定ねじ（４、４ａ）を、前記スキャン部分（２、２ａ）の通路（７、７ａ）を通して前記スキャンボディ内へ挿入した後に、前記スキャンボディ内で失われないように保持することを特徴とする歯科インプラントの位置と方向を定めるスキャンボディシステム。
【請求項２】
前記固定ねじ（４、４ａ）を、前記スキャンボディ内へ挿入した後に、再び前記スキャンボディから除去することができるように、少なくとも１つの前記拘束手段（９、９ａ）が形成されていることを特徴とする請求項１に記載のスキャンボディシステム。
【請求項３】
前記スキャンボディ（２、２ａ）の前記通路（７、７ａ）が、前記脚部（３、３ａ）とは反対側の端部に設けられていること、及び
前記通路（７、７ａ）の横断面が、前記固定ねじ（４、４ａ）の最大の横断面と等しい大きさであるかあるいはそれより大きく形成されていること、を特徴とする請求項１又は２に記載のスキャンボディシステム。
【請求項４】
前記機械的な拘束手段（９、９ａ）が、前記固定ねじ（５ａ）の外周面に、あるいは固定ねじ（４）を包囲する前記脚部（３）のガイド通路の内周面に設けられていることを特徴とする請求項１又は２に記載のスキャンボディシステム。
【請求項５】
前記機械的な拘束手段（９）が、前記脚部（３）の前記ガイド通路の内周面に一体的に形成されていることを特徴とする請求項１から４のいずれか一項に記載のスキャンボディシステム。
【請求項６】
前記拘束手段が、前記固定ねじ（４）の雄ねじ（８）に対して相補的な雌ねじ部分（９）として、前記ガイド通路の内周面に形成されていることを特徴とする請求項５に記載のスキャンボディシステム。
【請求項７】
前記拘束手段（９ａ）が、前記固定ねじ（４）の外側輪郭を越えて径方向外側へ張り出す、弾性的にたわむことのできる環状領域として形成されていることを特徴とする請求項１から４のいずれか一項に記載のスキャンボディシステム。
【請求項８】
前記環状領域が、エラストマー材料からなるＯリング（９ａ）を有し、前記Ｏリングが前記固定ねじの環状溝（１０）内に保持されていることを特徴とする請求項７に記載のスキャンボディシステム。
【請求項９】
前記環状溝（１０）が、前記固定ねじ（４ａ）のねじヘッド（５ａ）に設けられていることを特徴とする請求項８に記載のスキャンボディシステム。
【発明の詳細な説明】
【技術分野】
【０００１】
本発明は、歯科インプラントの位置と方向を定めるためのスキャンボディシステムに関するものであって、インターフェイスを備えた脚部と、三次元のスキャン輪郭を有し、かつスキャンボディを形成するように脚部と堅固に結合されているスキャン部分と、歯科インプラント内にスキャンボディを固定するために設けられた固定ねじとを有している。
【背景技術】
【０００２】
この種のスキャンボディシステムは、独国実用新案第２０２０１３００５８２１号明細書から知られている。この既知のスキャンボディシステムは、スキャンボディを有し、そのスキャンボディが脚部とスキャン部分とを有し、それらは異なる材料から別々の構成部品として形成されて、次にスキャンボディを形成するように互いに圧接されている。脚部とスキャン部分とを接合する前に、脚部のガイド通路内へ固定ねじが挿入されて、その固定ねじは、脚部とスキャン部分とを力結合で接合した後にスキャンボディ内で失われないように保持されている。スキャン部分はその脚部とは反対側の上側にスキャン部分の内部への通路を有しており、その通路内で固定ねじが位置決めされている。通路は、工具を挿通して、固定ねじを回転することができるようにするために用いられる。通路の横断面は、ねじヘッドが通過するには小さすぎるので、固定ねじは脚部とスキャン部分とを接合した後にスキャンボディ内で失われないように保持されている。
【先行技術文献】
【特許文献】
【０００３】
【特許文献１】独国実用新案第２０２０１３００５８２１号明細書
【発明の概要】
【発明が解決しようとする課題】
【０００４】
本発明の課題は、従来技術に比較して改良された機能的能力を有する、冒頭で挙げた種類のスキャンボディシステムを提供することである。
【課題を解決するための手段】
【０００５】
この課題は、脚部及び／又は固定ねじが少なくとも１つの機械的な拘束手段を有しており、その拘束手段が固定ねじをスキャン部分の通路を通してスキャン部分内へ挿入した後にスキャン部分内で失われないように保持することによって解決される。本発明に係るスキャンボディシステムは、スキャンボディと固定ねじを別々に保管し、かつ取り扱うことを可能にする。それにもかかわらず、固定ねじはスキャンボディ内への挿入後にスキャンボディ内で失われないように保持されているので、特にスキャンボディシステムを口内に適用する場合に、固定ねじをうっかりと失うことが回避される。
【０００６】
本発明の形態において、拘束手段は次のように、すなわち固定ねじをスキャンボディ内へ挿入し後に再びスキャンボディから取り除くことができるように、形成されている。これが、従来技術に対してスキャンボディシステムの清掃可能性の改良を可能にする。というのは、固定ねじをスキャンボディから取り除くことができることによって、スキャンボディの内部の清掃可能性が改良されるからである。それによってスキャンボディシステムは、特に衛生的な多数回使用を可能にする。
【０００７】
本発明の他の形態においては、脚部とは反対側の端部にスキャン部分の通路が設けられており、通路の横断面は固定ねじの最大の横断面と同じ大きさであるかあるいはそれより大きく形成されている。それによって、固定ねじを外部からスキャン部分の通路を通してスキャンボディの内部へ挿入できることが保証される。
【０００８】
本発明の他の形態において、機械的な拘束手段は、固定ねじの外周面に、あるいは脚部の、固定ねじを包囲するガイド通路の内周面に設けられている。機械的な拘束手段は、好ましくは固定ねじのための力結合の、あるいは形状結合の拘束を形成する。しかし、スキャンボディのスキャン部分を通して、固定ねじを外部から挿入することも、挿入後に再び外部へ除去することもできる。
【０００９】
本発明の他の形態において、機械的な拘束手段は、ガイド通路の内周面に一体的に形成されている。特に好ましくは、拘束手段は、ガイド通路の内周面に、固定ねじの雄ねじに対して相補的な雌ねじ部分として形成されている。一体的な形成、特に雌ねじ部分の形態は、簡単かつコストパフォーマンスよく実現可能である。
【００１０】
本発明の他の形態において、拘束手段は、固定ねじの外側輪郭を越えて径方向外側へ張り出す、弾性的にたわむことのできる環状領域として形成されている。弾性的にたわむことのできる環状領域は、固定ねじに対して材料結合で、特に加硫処理又は接着によって配置することができる。代替的に、弾性的にたわむことのできる環状領域は、少なくとも１つの別に作られた、力結合又は形状結合で固定ねじの外側輪郭と結合された弾性的なリング構造として形成することができる。
【００１１】
本発明の他の形態において、環状領域はエラストマー材料からなるＯリングを有しており、そのＯリングが固定ねじの環状溝内に保持されている。好ましくは、環状溝は、固定ねじのねじヘッドに設けられている。環状溝は、固定ねじのねじヘッドに切削加工によって形成することができる。弾性的にたわむことのできるＯリングは、次に簡単なやり方で弾性的に拡幅させて、環状溝内へ挿入することができる。エラストマー材料として、合成ゴム又は天然ゴムからなる材料も、熱可塑性エラストマーからなる材料も考えられる。
【００１２】
本発明の他の利点と特徴が、請求項から、そして図面を用いて示す本発明の好ましい実施例についての以下の説明から明らかにされる。
【図面の簡単な説明】
【００１３】
【図１】本発明に係るスキャンボディシステムの第１の実施形態を示す断面図である。
【図２】本発明に係るスキャンボディシステムの他の実施形態を同様に示す断面図である。
【発明を実施するための形態】
【００１４】
図１と図２に示す２つのスキャンボディシステム１と１ａは、原則的に同一の構造を有している。したがってスキャンボディシステム１、１ａの機能的に等しい部分又はセクションには、同一の参照符号が付されているが、図２の実施例に関しては、文字ａが付加されている。２つのスキャンボディシステム１、１ａは、それぞれスキャンボディを有しており、そのスキャンボディはスキャン部分２と脚部３とから構成されている。各脚部３、３ａは、金属材料、好ましくはチタン合金から形成されている。各スキャン部分２は、プラスチック材料から、ここではＰＥＥＫから形成されており、その外側輪郭の領域内に複数の、異なるように形成されたスキャン面を有しており、それらスキャン面がスキャン部分２の周面にわたって分配して配置されており、かつ三次元のスキャン輪郭として用いられる。スキャン部分２、２ａと脚部３、３ａは、長手中心軸線Ｍに沿って同軸に接合することによって互いに堅固に結合されている。接合は、脚部３、３ａをスキャン部分２内へ圧入することによって力結合で行われる。そのためにスキャン部分２、２ａには、対向する両端部へ向かって開放した収容部が設けられており、その収容部は脚部３、３ａとは反対側において以下に詳細に説明する通路７、７ａ内へ連通している。脚部３、３ａとスキャン部分２、２ａの互いに向き合った接触面には、圧入後におけるスキャン部分２、２ａと３、３ａとの間の結合をさらに改良するために係止溝を付けることができる。
【００１５】
スキャン部分２、２ａを脚部３、３ａに接合することによって構造的に一体に取り扱うことのできるスキャンボディが得られ、そのスキャンボディは、図示されない歯科インプラント内へ挿入することができ、かつ詳しく示されないインターフェイスによって、脚部３、３ａの、通路７、７ａとは反対側へスキャン部分２、２ａを越えて張り出す部分において、歯科インプラント内に回転しないように位置決めされ得る。脚部３、３ａの、スキャン部分２，２ａに対して下方の終端部分に設けられたインターフェイスは、その外周面に回転非対称の輪郭を有しており、その輪郭は、歯科インプラントの相補的な内側輪郭に合わせられている。
【００１６】
スキャンボディシステム１、１ａは、さらに、固定ねじ４、４ａを有しており、その固定ネジの上方の端部領域にはねじヘッド５、５ａが、そして反対側の端部には雄ねじ８、８ａが設けられている。雄ねじ８、８ａは、歯科インプラントに対して固定ねじ４、４ａを螺合しかつ外すことを可能にするために、歯科インプラントの雌ねじに対して相補的に形成されている。
【００１７】
固定ねじ４、４ａのねじヘッド５、５ａは、円筒状に形成されており、かつ、それぞれの固定ねじ４、４ａの円筒状のねじシャフトより大きい直径を有しており、その固定ねじの下方の端部領域には雄ねじ８、８ａが設けられている。しかし、固定ねじ４、４ａのねじヘッド５、５ａの直径は、スキャン部分２、２ａの上方の端部領域に設けられた通路７、７ａの直径より小さいか、あるいはそれと等しい大きさである。それによって固定ねじ４、４ａは、スキャンボディ２、３；２ａ、３ａとは別に保管され、かつ取り扱われることが可能にされる。固定ねじ４、４ａは、スキャンボディシステム１、１ａを準備完了状態で取り付けるために、スキャンボディ２、３；２ａ、３ａの長手中心軸線Ｍに対して同軸に上からスキャン部分２、２ａの通路７、７ａを貫通して押し込まれる。
【００１８】
図１に示す実施形態において、スキャン部分２内に延びる脚部３のガイド通路の内周面において、インターフェイスとは逆の上方の部分に雌ねじ部分９が設けられており、その雌ねじ部分はスキャンボディ２、３内に固定ねじ４を固定するための機械的な拘束手段として用いられる。雌ねじ部分９は、固定ねじ４の雄ねじ８に対して相補的に形成されている。固定ねじ４を上から通路７を通して導入した後に、雄ねじ８が脚部３の雌ねじ部分９上に当接する。工具作用面６に作用する工具を用いて固定ねじ４を簡単にねじ込むことによって、固定ねじ４を雌ねじ部分９を通して螺合することができる。雌ねじ部分９は、脚部３の詳しく示されないガイド通路の軸方向の長さの約３分の１にわたって延びているだけなので、固定ねじ４は雄ねじ部分８が雌ねじ部分９内を通過した後に、再び軸方向に移動することができる。しかし、雌ねじ部分９は、固定ねじ４が軸方向上方へ向かって再び通路７から抜け出すことを阻止する。むしろ、固定ねじ４の除去は、固定ねじ４がまず再び軸方向上方へ向かって移動されて、雄ねじ８が雌ねじ部分９の下方の端部に添接することによってのみ可能である。次にねじは、この雌ねじ部分９を介して軸方向上方へ向かって抜き出されなければならず、その後になってねじは自由になり、外側へ向かって完全に取り出すことができる。
【００１９】
図２に示す実施形態においては、脚部３ａはそのガイド通路内に雌ねじ部分を有していない。むしろ、ガイド通路は円筒状に形成されているので、固定ねじ４ａのねじシャフトはこのガイド通路内で軸方向に摺動することができる。固定ねじ４ａにおける機械的な拘束手段は、径方向に弾性的にたわむＯリング９ａによって形成され、そのＯリングは、ねじヘッド５ａに一体的に形成された環状溝１０内に保持されている。環状溝１０の深さは、Ｏリングが固定ねじのねじヘッド５ａの外側輪郭を越えて張り出すことなく径方向に弾性的に十分に圧入され得るように、形成されている。Ｏリング９ａの弾性的な付勢は、Ｏリング９ａが常に径方向外側へ向かって押圧され、それによって固定ねじ４ａを脚部３ａ内及びスキャン部分２ａ内に力結合で拘束することが可能であるように、形成されている。
【００２０】
ねじヘッド５ａの直径は、スキャン部分２ａの通路７ａより小さいか、あるいはそれと等しいので、固定ねじ４ａは、軸方向に上からスキャンボディ２ａ、３ａ内へ挿入することができる。環状溝１０内に保持されているＯリング９ａが、通路７ａの上方の端縁に添接するとすぐに、Ｏリングはその弾性的な可撓性によって環状溝１０内へ内側へ向かって押圧され、それによって固定ねじ４ａはさらに下方へ滑り移動することができる。Ｏリング９ａの径方向外側へ作用する弾性的な力は、固定ねじ４ａをスキャンボディ２ａ、３ａ内に保持するために充分である。さらに、通路７ａと、それに連続するスキャン部分２ａの脚部３ａのための収容部との間に、径方向外側へ拡幅した環状段部が設けられているので、Ｏリング９ａは、固定ねじ４ａが軸方向に上方へ向かって摺動する場合に、付加的にさらに形状結合でこの環状段部に支持される。しかし、図２に示す固定ねじ４ａの挿入された状態において下から、すなわち雄ねじ８ａへ向いた端部から上方へ向かって軸力が固定ねじ４ａに加わった場合に、Ｏリング９ａは環状段部の領域内で再び径方向内側へ向かって押し戻されるので、通路７ａを上方へ向かって滑り移動し、それによって固定ねじ４ａは再びスキャンボディ２ａ、３ａ内の収容部から軸方向に取り出すことができる。この取り出し、すなわち固定ねじ４、４ａの除去が、２つのスキャンボディシステム１、１ａにおいて、残留しているスキャンボディ２、３；２ａ、３ａの内部の特に簡単かつ衛生的な清掃を可能にする。さらに、固定ねじ４、４ａ自体も、それがスキャンボディ２、３；２ａ、３ａから取り出されている限りにおいて簡単なやり方で清掃することができる。
【図１】
2018507760.tif 000003
【図２】
2018507760.tif 000004
【国際調査報告】
2018507760.tif 000005
2018507760.tif 000006
2018507760.tif 000007
2018507760.tif 000008
2018507760.tif 000009
2018507760.tif 000010
2018507760.tif 000011
2018507760.tif 000012